(57)【要約】【課題】シールド構造に関する技術について、構造の簡素化、軽量化、及び耐ノイズ性能の向上の、少なくとも１つの効果を得る。【解決手段】２本の電線が撚り合わされてなると共に、前記２本の電線が並ぶ並列部を有するツイストペアケーブルと、前記並列部の周囲に配された導電性を有する２つの側壁部と、前記２つの側壁部を接続する２つの接続部と、を有するシールド部材と、を備え、  前記２つの接続部は、前記２つの側壁部のうち、前記並列部の延びる方向の前端部と後端部とにそれぞれ配されている、シールド構造。【選択図】図２
2020145083.tif 000002
【特許請求の範囲】
【請求項１】
２本の電線が撚り合わされてなると共に、前記２本の電線が並ぶ並列部を有するツイストペアケーブルと、
前記並列部の周囲に配された導電性を有する２つの側壁部と、前記２つの側壁部を電気的に接続する２つの接続部と、を有するシールド部材と、を備え、
前記２つの接続部は、前記２つの側壁部のうち、前記並列部の延びる方向の前端部と後端部とにそれぞれ配されている、シールド構造。
【請求項２】
前記２つの接続部の間には開口部が設けられている、請求項１に記載のシールド構造。
【請求項３】
前記２つの側壁部は、前記並列部を構成する前記２本の電線の中間位置を含むと共に前記２本の電線が延びる方向に沿う仮想的な面に対し、鏡面対称に形成されている、請求項１または請求項２に記載のシールド構造。
【請求項４】
前記接続部は前記２つの側壁部と一体に形成されている請求項１から請求項３のいずれか１項に記載されたシールド構造。
【請求項５】
前記２つの側壁部は、前記並列部を構成する前記２本の電線の各端部に接続された２つの端子の周囲に位置している、請求項１から請求項４のいずれか１項に記載のシールド構造。
【請求項６】
前記２本の電線のうち、前記２本の電線を一括して包囲するシースの端部から露出した部分が前記並列部とされており、
前記接続部は、前記シースの端部に外嵌された外嵌部と、前記外嵌部から延びると共に前記２つの側壁部に接触する延出部と、を有する、請求項１から請求項５のいずれか１項に記載のシールド構造。
【請求項７】
２本の電線が撚り合わされてなると共に、前記２本の電線が並ぶ並列部を有するツイストペアケーブルと、
前記並列部を構成する前記２本の電線の端部にそれぞれ接続された２つの端子と、
前記２つの端子が収容されるコネクタと、
前記並列部の周囲に配された導電性を有する２つの側壁部と、前記２つの側壁部を電気的に接続する２つの接続部と、を有するシールド部材と、を備え、
前記２つの接続部は、前記２つの側壁部のうち、前記並列部の延びる方向の前端部と後端部とにそれぞれ配されている、ワイヤーハーネス。
【請求項８】
前記コネクタは、前記シールド部材が固定される固定部を有する、請求項７に記載のワイヤーハーネス。
【発明の詳細な説明】
【技術分野】
【０００１】
本開示は、シールド構造、及びワイヤーハーネスに関する。
【背景技術】
【０００２】
従来、２本の電線が撚り合わされてなるツイストペアケーブルが知られている（特開２０１２−１８８９８号公報）。ツイストペアケーブルの端部においては、撚り合わされた２本の電線の撚りがほどかれており、２本の電線は並んで配されている。
【先行技術文献】
【特許文献】
【０００３】
【特許文献１】特開２０１２−１８８９８号公報
【発明の概要】
【発明が解決しようとする課題】
【０００４】
従来技術においては、２本の電線が並んで配された部分からノイズが混入することを懸念して、並んで配された２本の電線を、金属製のシールド部材で上下方向及び左右方向から覆うようになっている。
【０００５】
上記のシールド部材は、並んで配された２本の電線を上下方向及び左右方向から覆っているので、構造が複雑化しやすく、軽量化が難しい。
【０００６】
本開示は上記のような事情に基づいて完成されたものであって、構造の簡素化、軽量化、及び耐ノイズ性能の向上の、少なくとも１つが解決されるシールド構造、及びワイヤーハーネスを提供する。
【課題を解決するための手段】
【０００７】
本開示のシールド構造は、２本の電線が撚り合わされてなると共に、前記２本の電線が並ぶ並列部を有するツイストペアケーブルと、前記並列部の周囲に配された導電性を有する２つの側壁部と、前記２つの側壁部を電気的に接続する２つの接続部と、を有するシールド部材と、を備え、前記２つの接続部は、前記２つの側壁部のうち、前記並列部の延びる方向の前端部と後端部とにそれぞれ配されている。
【０００８】
本開示のワイヤーハーネスは、２本の電線が撚り合わされてなると共に、前記２本の電線が並ぶ並列部を有するツイストペアケーブルと、前記並列部を構成する前記２本の電線の端部にそれぞれ接続された２つの端子と、前記２つの端子が収容されるコネクタと、前記並列部の周囲に配された導電性を有する２つの側壁部と、前記２つの側壁部を電気的に接続する２つの接続部と、を有するシールド部材と、を備え、前記２つの接続部は、前記２つの側壁部のうち、前記並列部の延びる方向の前端部と後端部とにそれぞれ配されている。
【発明の効果】
【０００９】
本開示によれば、シールド構造に関する技術について、構造の簡素化、軽量化、及び耐ノイズ性能の向上の、少なくとも１つの効果を得ることができる。
【図面の簡単な説明】
【００１０】
【図１】図１は、実施形態１に関するワイヤーハーネスを示す側面図である。
【図２】図２は、図１におけるＩＩ−ＩＩ線断面図である。
【図３】図３は、図４におけるＩＩＩ−ＩＩＩ線断面図である。
【図４】図４は、図１におけるＩＶ−ＩＶ線断面図である。
【図５】図５は、ワイヤーハーネスを示す斜視図である。
【図６】図６は、シールド部材が雄コネクタと離間した状態を示すワイヤーハーネスの分解斜視図である。
【図７Ａ】図７Ａは、計算例１に関し、電線の配置を示す模式的断面図である。
【図７Ｂ】図７Ｂは、計算例１にかかるシールド部材を示す斜視図である。
【図８】図８は、計算例２に関し、電線の配置を示す模式的断面図である。
【図９】図９は、計算例３に関し、電線の配置を示す模式的断面図である。
【図１０】図１０は、計算例１から計算例３について、コモンモードの周波数に対するＬＣＬの変化を示すグラフである。
【図１１】図１１は、計算例３について、コモンモードの周波数に対するＬＣＬの変化を示すグラフである。
【図１２】図１２は、計算例２について、コモンモードの周波数に対するＬＣＬの変化を示すグラフである。
【図１３】図１３は、計算例１について、コモンモードの周波数に対するＬＣＬの変化を示すグラフである。
【図１４】図１４は、計算例１から計算例３について、ノイズ源の周波数に対するＡＮＥＸＴＤＳの変化を示すグラフである。
【図１５】図１５は、計算例３についてノイズ源の周波数に対するＡＮＥＸＴＤＳの変化を示すグラフである。
【図１６】図１６は、計算例２についてノイズ源の周波数に対するＡＮＥＸＴＤＳの変化を示すグラフである。
【図１７】図１７は、計算例１についてノイズ源の周波数に対するＡＮＥＸＴＤＳの変化を示すグラフである。
【図１８】図１８は、実施形態２に関するワイヤーハーネスを示す断面図である。
【図１９】図１９は、実施形態３に関するワイヤーハーネスを示す斜視図である。
【発明を実施するための形態】
【００１１】
［本開示の実施形態の説明］
本開示の実施態様が列記されて説明される。
【００１２】
（１）本開示のシールド構造は、２本の電線が撚り合わされてなると共に、前記２本の電線が並ぶ並列部を有するツイストペアケーブルと、前記並列部の周囲に配された導電性を有する２つの側壁部と、前記２つの側壁部を電気的に接続する２つの接続部と、を有するシールド部材と、を備え、前記２つの接続部は、前記２つの側壁部のうち、前記並列部の延びる方向の前端部と後端部とにそれぞれ配されている。
【００１３】
上記の構成によれば、並列部の周囲に配された側壁部により、並列部において並ぶ２本の電線は、側壁部の周囲に位置するノイズ源から電磁気的にシールドされる。これにより、ツイストペアケーブルの耐ノイズ性能を向上させることができる。
【００１４】
（２）前記２つの接続部の間には開口部が設けられている。
【００１５】
本明細書に開示されたシールド部材によれば、２つの接続部の間には開口部が形成されているので、シールド部材の構造を簡素化することができる。これによりシールド部材を軽量化することができる。また、シールド部材の製造コストを低減させることができる。また、この開口部からは、並列部を構成する２本の電線が露出している。ノイズ源が、並列部を構成する２本の電線が露出する領域に配された場合には、ツイストペアケーブルの耐ノイズ性能の低下を抑制することができる。以下に理由を説明する。並列部を構成する２本の電線が露出する領域にノイズ源が配された場合、ノイズ源が発するノイズは２本の電線の双方に影響を及ぼす。２本の電線の双方に与えられたノイズは差動通信ケーブルにおいてはキャンセルされるので、ツイストペアケーブルの耐ノイズ性能が低下することを抑制することができる。
【００１６】
（３）前記２つの側壁部は、前記並列部を構成する前記２本の電線の中間位置を含むと共に前記２本の電線が延びる方向に沿う仮想的な面に対し、鏡面対称に形成されていることが好ましい。
【００１７】
上記の構成によれば、並列部を構成する２本の電線の電磁気的な環境を均質にすることができる。これにより、ノイズ源が発するノイズが２本の電線に与える影響を、シールド部材が設けられない場合に比べて均質化することができる。
【００１８】
（４）前記接続部は前記２つの側壁部と一体に形成されていることが好ましい。
【００１９】
上記の構成によれば、シールド部材の構造を簡素化できるので、シールド部材の製造コストを低減させることができる。
【００２０】
（５）前記２つの側壁部は、前記並列部を構成する前記２本の電線の各端部に接続された２つの端子の周囲に位置していることが好ましい。
【００２１】
上記の構成によれば、２本の信号線の端部に接続された端子に加えられるノイズの影響を低減させることができる。
【００２２】
（６）前記２本の電線のうち、前記２本の電線を一括して包囲するシースの端部から露出した部分が前記並列部とされており、前記接続部は、前記シースの端部に外嵌された外嵌部と、前記外嵌部から延びると共に前記２つの側壁部に接触する延出部と、を有することが好ましい。
【００２３】
上記の構成によれば、シースの端部に外嵌部を外嵌することにより、シース内に位置する２本の電線の撚りがほどけてしまうことを抑制することができる。
【００２４】
また、シースの内部に配された２本の電線の撚り戻しを抑制する部材を、２つの側壁部を電気的に接続するために用いることができるので、部品点数を削減することができる。これにより、シールド構造の製造コストを低減することができる。
【００２５】
（７）本開示のワイヤーハーネスは、２本の電線が撚り合わされてなると共に、前記２本の電線が並ぶ並列部を有するツイストペアケーブルと、前記並列部を構成する前記２本の電線の端部にそれぞれ接続された２つの端子と、前記２つの端子が収容されるコネクタと、  前記並列部の周囲に配された導電性を有する２つの側壁部と、前記２つの側壁部を電気的に接続する２つの接続部と、を有するシールド部材と、を備え、  前記２つの接続部は、前記２つの側壁部のうち、前記並列部の延びる方向の前端部と後端部とにそれぞれ配されている。
【００２６】
上記の構成によれば、ワイヤーハーネスの耐ノイズ性能を向上させることができる。
【００２７】
（８）前記コネクタは、前記シールド部材が固定される固定部を有することが好ましい。
【００２８】
上記の構成によれば、シールド部材をコネクタと異なる部材に固定する場合に比べて、ワイヤーハーネスの構造を簡素化することができる。
【００２９】
［本開示の実施形態の詳細］
以下に、本開示の実施形態が説明される。本発明はこれらの例示に限定されるものではなく、特許請求の範囲によって示され、特許請求の範囲と均等の意味、及び範囲内でのすべての変更が含まれることが意図される。
【００３０】
＜実施形態１＞
本明細書に開示された技術をワイヤーハーネス１０に適用した実施形態１が、図１から図１７を参照しつつ説明される。図１に示されるように、本実施形態に関するワイヤーハーネス１０は、第１ＵＴＰ（Ｕｎｓｈｉｅｌｄｅｄ  Ｔｗｉｓｔｅｄ  Ｐａｉｒ）ケーブル１１（ツイストペアケーブルの一例）と、第１ＵＴＰケーブル１１の端部に接続された雄コネクタ１２（コネクタの一例）と、雄コネクタ１２に嵌合する雌コネクタ１３（コネクタの一例）と、雌コネクタ１３が端部に接続された第２ＵＴＰ（Ｕｎｓｈｉｅｌｄｅｄ  Ｔｗｉｓｔｅｄ  Ｐａｉｒ）ケーブル１４（ツイストペアケーブルの一例）と、を備える。
【００３１】
本実施形態に関するワイヤーハーネス１０には、ノイズ源となる電線６２が、ワイヤーハーネス１０に沿うように配された状態でテープ巻き等の公知の手法により固定される（図４参照）。ノイズ源となる電線６２としては、機器に接続された電源線が例示される。このような電源線には接続された機器からノイズが混入することがある。
【００３２】
以下の説明においては、Ｚ方向が上方とされ、Ｙ方向が前方とされ、Ｘ方向が左方とされる。また、複数の同一部材については、一部の部材に符号が付され、他の部材については符号が省略される場合がある。
【００３３】
［第１ＵＴＰケーブル１１］
図２に示されるように、第１ＵＴＰケーブル１１は、互いに撚り合わされた２本の第１電線１５の外周を絶縁性の第１シース１６が一括して包囲してなる。第１電線１５は、導電性の芯線の外周が絶縁性の合成樹脂からなる絶縁被覆で覆われてなる公知の構成である。
【００３４】
第１シース１６の端部からは２本の第１電線１５が導出されている。第１シース１６の端部から導出された２本の第１電線１５は、撚りがほどかれており、前後方向（２本の電線が延びる方向の一例）に延びると共に、左右方向に間隔を空けて並んで配された第１並列部１７（並列部の一例）とされる。第１ＵＴＰケーブル１１のうち第１シース１６の内部に位置する２本の第１電線１５は、互いに撚り合わされている。
【００３５】
第１並列部１７を構成する２本の第１電線１５の左右方向の間隔は、第１シース１６の端部付近が最も狭くなっており、第１シース１６の端部から離れるに従って広がっている。
【００３６】
［雄端子１８］
第１ＵＴＰケーブル１１を構成する２本の第１電線１５の端部には、それぞれ、雄端子１８が接続されている。これにより、１つの第１ＵＴＰケーブル１１には２つの雄端子１８が接続されている。２つの雄端子１８は同形同大である。雄端子１８は金属板材を所定の形状にプレス加工することにより形成される。雄端子１８は、第１電線１５の端部に圧着することにより第１電線１５に固定されると共に第１電線１５の芯線と電気的に接続される電線接続部１９と、電線接続部１９に連なって前方に延びる雄タブ２０と、を有する。
【００３７】
［雄コネクタ１２］
図３に示されるように、雄コネクタ１２は、雄アウターハウジング２１と、雄アウターハウジング２１の内部に収容される雄インナーハウジング２２と、を有する。
【００３８】
雄アウターハウジング２１は、前方に開口するフード部２３を有する。フード部２３の内部には雌コネクタ１３が内嵌するようになっている。雄アウターハウジング２１は絶縁性の合成樹脂を射出成型してなる。雄アウターハウジング２１の内部には、前方に延びる雄ランス２４が形成されている。雄ランス２４が雄インナーハウジング２２と弾性的に係合することにより、雄アウターハウジング２１内に雄インナーハウジング２２が抜け止め状態で保持される。
【００３９】
２つの雄端子１８は、雄インナーハウジング２２内で、左右方向に間隔を空けて並んだ状態で配置される。雄端子１８の雄タブ２０は、フード部２３内において、前方に延びるように配されている。
【００４０】
［第２ＵＴＰケーブル１４］
図２に示されるように、第２ＵＴＰケーブル１４は、互いに撚り合わされた２本の第２電線２９の外周を絶縁性の第２シース３０が一括して包囲してなる。第２シース３０の端部から導出された２本の第２電線２９は、撚りがほどかれており、前後方向（２本の電線が延びる方向の一例）に延びると共に、左右方向に間隔を空けて並んで配された第２並列部３１（並列部の一例）とされる。第２並列部３１を構成する２本の第２電線２９の左右方向の間隔は、第２シース３０の端部付近が最も狭くなっており、第２シース３０の端部から離れるに従って広がっている。第２ＵＴＰケーブル１４の構成は第１ＵＴＰケーブル１１と同じなので、重複する説明が省略される。
【００４１】
［雌端子３２］
第２ＵＴＰケーブル１４を構成する２本の第２電線２９の端部には、それぞれ、雌端子３２が接続されている。これにより、１つの第２ＵＴＰケーブル１４には２つの雌端子３２が接続されている。２つの雌端子３２は同形同大である。雌端子３２は金属板材を所定の形状にプレス加工することにより形成される。雌端子３２は、第２電線２９の端部に圧着することにより第２電線２９に固定されると共に第２電線２９の芯線と電気的に接続される電線接続部５３と、電線接続部５３に連なって後方に延びる接続筒部３３と、を有する。接続筒部３３の内部には、雄端子１８の雄タブ２０が挿入可能になっている。接続筒部３３の内部には弾性変形可能な弾性接触片（図示せず）が配されている。弾性接触片が雄タブ２０と弾性的に接触することにより、雌端子３２と雄端子１８とが電気的に接続されるようになっている。
【００４２】
［雌コネクタ１３］
図３に示されるように、雌コネクタ１３の後半部分は、雄コネクタ１２のフード部２３内に後方から嵌入するようになっている。雄コネクタ１２と雌コネクタ１３とが嵌合した状態で、雌コネクタ１３の前半部分はフード部２３の前方に位置している。図４に示されるように、雌コネクタ１３は、雌アウターハウジング３４と、雌アウターハウジング３４の内部に収容される雌インナーハウジング３５と、を有する。
【００４３】
雌アウターハウジング３４は絶縁性の合成樹脂を射出成型してなる。雌アウターハウジング３４の内部には、後方に延びる雌ランス３６が形成されている。雌ランス３６が雌インナーハウジング３５と弾性的に係合することにより、雌アウターハウジング３４内に雌インナーハウジング３５が抜け止め状態で保持される。
【００４４】
雌端子３２は、雌インナーハウジング３５内に保持されている。２つの雌端子３２は、雌インナーハウジング３５内で、左右方向に間隔を空けて並んだ状態で配置される。
【００４５】
雄コネクタ１２のフード部２３内に雌コネクタ１３が嵌入された状態で、雌コネクタ１３に形成されたロック部４２が雄コネクタ１２に係止することにより、雌コネクタ１３がフード部２３内において抜け止め状態で保持されるようになっている。
【００４６】
［シールド部材４３］
図５及び図６に示されるように、シールド部材４３は、導電性を有する金属板材を所定の形状にプレス加工することにより形成される。シールド部材４３を構成する金属としては、銅、銅合金、アルミニウム、アルミニウム合金等、任意の金属を適宜に選択することができる。シールド部材４３の表面には金属からなるメッキ層が形成されていてもよい。メッキ層を構成する金属としては、スズ、ニッケル等、任意の金属を適宜に選択することができる。
【００４７】
シールド部材４３は、２つの側壁部４４と、２つの側壁部４４を連結する前接続部４５（接続部の一例）及び後接続部４６（接続部の一例）と、を有する。２つの側壁部４４は同形同大であり、長方形状をなす金属板材からなる。２つの側壁部４４は、互いの壁面が平行となるように、上下方向に立ち上がった姿勢で配置されている。平行とは、２つの側壁部４４の壁面が平行である場合を含むと共に、平行でなくとも実質的に平行と認められる場合も含む。
【００４８】
２つの側壁部４４の前端部の下縁同士は前接続部４５によって接続されており、２つの側壁部４４の後端部の下縁同士は後接続部４６によって接続されている。前接続部４５及び後接続部４６により、２つの側壁部４４は電気的に接続されている。
【００４９】
２つの側壁部４４の上縁部は、上方に開口する上開口部４７（開口部の一例）とされる。シールド部材４３の上面はすべて開口されている。また、２つの側壁部４４の下縁部と、前接続部４５の後縁部と、後接続部４６の前縁部とによって囲まれた領域は下方に開口する下開口部４８とされる。
【００５０】
図４に示されるように、雄アウターハウジング２１の左側壁と、右側壁には、下方に開口する嵌合溝４９（固定部の一例）が形成されている。嵌合溝４９内に側壁部４４が挿入されている。シールド部材４３の接続部は、雄アウターハウジング２１の下壁の下面に沿うように配されている。なお、シールド部材４３は、圧入、ネジ止め、リベット止め、接着、融着、ロック爪による保持構造等、任意の手段によって雄コネクタ１２に固定される。
【００５１】
［シールド構造５０，５２］
図２に示されるように、雄コネクタ１２のシールド構造５０が説明される。雄コネクタ１２に取り付けられたシールド部材４３の２つの側壁部４４は、第１ＵＴＰケーブル１１を構成する第１電線１５の第１並列部１７の周囲（左右方向について外方の位置）に配されている。これにより、第１ＵＴＰケーブル１１を構成する第１電線１５の第１並列部１７は、側壁部４４の周囲に位置するノイズ源から電磁気的にシールドされるようになっている。
【００５２】
また、シールド部材４３の２つの側壁部４４は、第１ＵＴＰケーブル１１を構成する第１電線１５の端部に接続された雄端子１８の周囲（左右方向について外方の位置）に配されている。これにより、雄端子１８は、側壁部４４の周囲に位置するノイズ源から電磁気的にシールドされるようになっている。
【００５３】
雄コネクタ１２においては、第１ＵＴＰケーブル１１を構成する第１電線１５の第１並列部１７と、第１並列部１７の端部に接続された雄端子１８とは、前後方向について２つの側壁部４４の内側に位置している。
【００５４】
左右方向について第１並列部１７を構成する２本の第１電線１５の中間位置を含むと共に前後方向に延びる仮想的な面５１に対し、２つの側壁部４４は鏡面対称に形成されている。すなわち、仮想的な面５１について２つの側壁部４４は左右対称に配されている。これにより、第１電線１５の第１並列部１７と雄端子１８の電磁気的な環境が、左右方向について均質化されるようになっている。
【００５５】
第１電線１５の第１並列部１７と雄端子１８とは、上下方向について２つの側壁部４４の高さ寸法の中央付近に配されている。これにより、第１電線１５の第１並列部１７と雄端子１８の電磁気的な環境が、上下方向について均質化されるようになっている。
【００５６】
雌コネクタ１３のシールド構造５２が説明される。雌コネクタ１３と雄コネクタ１２とが嵌合した状態において、雌コネクタ１３のうち雄コネクタ１２のフード部２３内に位置する部分の周囲（左右方向について外方の位置）には、２つの側壁部４４が位置している。詳細に説明すると、第２ＵＴＰケーブル１４を構成する第２電線２９の第２並列部３１のうち、雌端子３２の電線接続部５３が圧着する部分の周囲（左右方向について外方の位置）に、２つの側壁部４４が位置している。これにより、第２ＵＴＰケーブル１４を構成する第２電線２９の第２並列部３１は、側壁部４４の周囲に位置するノイズ源から電磁気的にシールドされるようになっている。
【００５７】
また、シールド部材４３の２つの側壁部４４は、第２電線２９の端部に接続された雌端子３２の周囲（左右方向について外方の位置）に配されている。これにより、雌端子３２は、側壁部４４の周囲に位置するノイズ源から電磁気的にシールドされるようになっている。
【００５８】
雌コネクタ１３においては、第２電線２９の第２並列部３１のうち雌端子３２の電線接続部５３が圧着する部分と、第２並列部３１の端部に接続された雌端子３２とは、前後方向について２つの側壁部４４の内側に位置している。
【００５９】
雄コネクタ１２と雌コネクタ１３とが嵌合した状態において、左右方向について、第１並列部１７を構成する２本の第１電線１５の間隔と、第２並列部３１を構成する２本の第２電線２９の間隔とは同じになっている。左右方向について第２並列部３１を構成する２本の第２電線２９の中間位置を含むと共に前後方向に延びる仮想的な面５１に対し、２つの側壁部４４は鏡面対称に形成されている。すなわち、仮想的な面５１について２つの側壁部４４は左右対称に配されている。これにより、第２電線２９の第２並列部３１と雌端子３２の電磁気的な環境が、左右方向について均質化するようになっている。
【００６０】
第２電線２９の第２並列部３１と雌端子３２とは、上下方向について２つの側壁部４４の高さ寸法の中央付近に配されている。これにより、第２電線２９の第２並列部３１と雌端子３２の電磁気的な環境が、上下方向について均質化するようになっている。
【００６１】
［実施形態の製造工程の一例］
続いて、実施形態の製造工程の一例が説明される。製造工程は以下の記載に限定されない。
【００６２】
第１ＵＴＰケーブル１１の端部において第１シース１６が皮剥ぎされる。これにより２本の第１電線１５が第１シース１６の端部から露出する。露出した２本の第１電線１５の撚りがほどかれる。各第１電線１５の端部のそれぞれに雄端子１８が接続される。
【００６３】
第２ＵＴＰケーブル１４に対して、上記と同様の処理がなされることにより、各第２電線２９の端部のそれぞれに雌端子３２が接続される。
【００６４】
雄インナーハウジング２２に雄端子１８が収容される。雄インナーハウジング２２が、雄アウターハウジング２１の後方から組み付けられる。雄インナーハウジング２２に、雄アウターハウジング２１の雄ランス２４が後方から係止することにより、雄インナーハウジング２２と雄アウターハウジング２１とが一体に組み付けられる。
【００６５】
金属板材がプレス加工されることによりシールド部材４３が形成される。シールド部材４３の２つの側壁部４４が、雄アウターハウジング２１の嵌合溝４９に、下方から挿入される。これにより、シールド部材４３が雄アウターハウジング２１に一体に組み付けられる。これにより雄コネクタ１２が形成される。
【００６６】
雌インナーハウジング３５内に雌端子３２が収容される。雌インナーハウジング３５が、雌アウターハウジング３４の前方から組み付けられる。雌インナーハウジング３５に、雌アウターハウジング３４の雌ランス３６が前方から係止することにより、雌インナーハウジング３５と雌アウターハウジング３４とが一体に組み付けられる。これにより、雌コネクタ１３が形成される。
【００６７】
雄コネクタ１２のフード部２３内に、前方から雌コネクタ１３が嵌入される。雌コネクタ１３に形成されたロック部４２が雄コネクタ１２に弾性的に係止する。これにより、雌コネクタ１３と雄コネクタ１２とが嵌合状態に保持される。
【００６８】
［実施形態の作用効果］
続いて、本実施形態の作用効果が説明される。本実施形態によれば、第１並列部１７の周囲（左右方向の外方）に配された側壁部４４により、第１並列部１７において並ぶ２本の第１電線１５は、側壁部４４の周囲に位置するノイズ源から電磁気的にシールドされる。これにより、第１ＵＴＰケーブル１１の耐ノイズ性能を向上させることができる。
【００６９】
また、本実施形態によれば、第２並列部３１の周囲（左右方向の外方）に配された側壁部４４により、第２並列部３１において並ぶ２本の第２電線２９は、側壁部４４の周囲に位置するノイズ源から電磁気的にシールドされる。これにより、第２ＵＴＰケーブル１４の耐ノイズ性能を向上させることができる。
【００７０】
本明細書に開示されたシールド部材４３によれば、２つの側壁部４４の壁面に沿う方向には上開口部４７及び下開口部４８が形成されているので、シールド部材４３の構造を簡素化することができる。これにより、開口部を有しない場合や、上開口部４７のみ、または下開口部４８のみが設けられた場合に比べて、シールド部材４３を軽量化することができる。また、シールド部材４３の製造コストを低減させることができる。
【００７１】
また、本実施形態によれば、２つの側壁部４４は、左右方向について、第１並列部１７を構成する２本の第１電線１５の中間位置を含むと共に２本の第１電線１５が延びる方向に沿う仮想的な面５１に対し、鏡面対称に形成されている。同様に、２つの側壁部４４は、左右方向について、第２並列部３１を構成する２本の第２電線２９の中間位置を含むと共に２本の第２電線２９が延びる方向に沿う仮想的な面５１に対し、鏡面対称に形成されている。
【００７２】
上記の構成によれば、第１並列部１７を構成する２本の第１電線１５の電磁気的な環境を均質にすることができると共に、第２並列部３１を構成する２本の第２電線２９の電磁気的な環境を均質にすることができる。これにより、ノイズ源が発するノイズが第１電線１５及び第２電線２９に与える影響を、シールド部材４３が設けられない場合に比べて均質化することができる。２本の第１電線１５に共通に与えられたノイズは差動通信ケーブルにおいてはキャンセルされる。また、２本の第２電線２９に共通に与えられたノイズは差動通信ケーブルにおいてはキャンセルされる。
【００７３】
また、本実施形態によれば、前接続部４５及び後接続部４６は２つの側壁部４４と一体に形成されている。上記の構成によれば、シールド部材４３の構造を簡素化できるので、シールド部材４３の製造コストを低減させることができる。
【００７４】
また、本実施形態によれば、２つの側壁部４４は、第１電線１５に接続された雄端子１８、及び第２電線２９に接続された雌端子３２の周囲に位置している。これにより、雄端子１８及び雌端子３２に印加されるノイズの影響を低減させることができる。
【００７５】
本実施形態に関するワイヤーハーネス１０は、２本の第１電線１５が撚り合わされてなると共に、２本の第１電線１５が並ぶ第１並列部１７を有する第１ＵＴＰケーブル１１と、第１電線１５の端部にそれぞれ接続された雄端子１８と、雄端子１８が収容される雄コネクタ１２と、２本の第２電線２９が撚り合わされてなると共に、２本の第２電線２９が並ぶ第２並列部３１を有する第２ＵＴＰケーブル１４と、第２電線２９の端部にそれぞれ接続された雌端子３２と、雌端子３２が収容される雌コネクタ１３と、第１並列部１７及び第２並列部３１において第１電線１５及び第２電線２９の周囲に配された導電性を有する２つの側壁部４４と、２つの側壁部４４を接続する前接続部４５及び後接続部４６と、を有するシールド部材４３と、を備える。これにより、ワイヤーハーネス１０の耐ノイズ性能を向上させることができる。
【００７６】
また、本実施形態によれば、雄コネクタ１２は、シールド部材４３が固定される嵌合溝４９を有する。これにより、シールド部材４３を雄コネクタ１２と異なる部材に固定する場合に比べて、ワイヤーハーネス１０の構造を簡素化することができる。
【００７７】
＜計算例＞
続いて、本実施形態の作用効果が確認された、コンピュータによりシミュレートされた計算例が説明される。計算例１、計算例２、及び計算例３について、ＬＣＬ（Ｌｏｎｇｉｔｕｄｉｎａｌ  Ｃｏｎｖｅｒｓｉｏｎ  Ｌｏｓｓ）、及びＡＮＥＸＴＤＳ（Ａｌｉａｎ  Ｎｅａｒ  Ｅｎｄ  Ｃｒｏｓｓ  ｃｏｎｖｅｒｓｉｏｎ  ｌｏｓｓ  Ｓｉｎｇｌｅ  ｅｎｄ  ｔｏ  Ｄｉｆｆｅｒｅｎｔｉａｌ）が計算された。ＬＣＬは電気機器から放出される不要な電気的ノイズ（エミッション）に関する指標であり、ＡＮＥＸＴＤＳは電気機器が電気的ストレスにさらされた際に耐えうる能力（イミュニティ）の指標である。計算例１、計算例２、及び計算例３について図７から図９を参照して説明される。なお、図７から図９においては、雄コネクタ１２は省略されている。
【００７８】
本明細書に開示された技術について、計算例２は実施例であり、計算例１及び計算例３は比較例である。
【００７９】
［計算例１］
図７Ａ及び図７Ｂに示されるように、計算例１に用いられたシールド部材６０は、２つの側壁部４４の下縁同士が、２つの側壁部４４と一体に形成された接続部６１によって電気的に接続されている。計算例１に関する接続部６１は上下方向に開口していない。他の構成は実施形態１と同様である。
【００８０】
［計算例２］
図６および図８に示されるように、計算例２には、実施形態１に開示されたシールド部材４３が用いられた。
【００８１】
［計算例３］
図９に示されるように、計算例３では、シールド部材が取り付けられていない雄コネクタ１２が用いられた。他の構成は実施形態１と同様である。
【００８２】
［計算方法］
計算例１から計算例３について、ワイヤーハーネスに沿って、１本の電線がノイズ源として配置された状態におけるＬＣＬ、及びＡＮＥＸＴＤＳが計算された。図７から図９に示されるように、電線が配置される場所は５つ設定された。電線の配置場所は以下のとおりである。
位置Ａ：右側の側壁部４４の左方
位置Ｂ：右側の側壁部４４の上方
位置Ｃ：右側の電線及び端子の上方
位置Ｄ：右側の側壁部４４の下方
位置Ｅ：右側の電線及び端子の下方
【００８３】
計算例（シミュレーション）においては、ディファレンシャルペアを構成するＵＴＰケーブルのうち、第１ＵＴＰケーブル１１にはディファレンシャルポート１を割り当て、第２ＵＴＰケーブル１４にはディファレンシャルポート２を割り当てた。ノイズ源となる電線６２の後端（第１ＵＴＰケーブル１１側の端部）にはシングルエンドポート３を割り当て、電線６２の前端（第２ＵＴＰケーブル１４側の端部）にはシングルエンドポート４を割り当てた（図２参照）。
【００８４】
ＬＣＬは、ディファレンシャルペアを構成するＵＴＰケーブルにコモンモード電圧を入力した際に、ディファレンシャルモード電圧に変化される量を比率にしてデシベル（ｄＢ）表現したものであるから、負の値となる。本計算例では、ワイヤーハーネスのエミッション性能はＬＣＬの値が小さいほど優れている。
【００８５】
ＡＮＥＸＴＤＳは、ノイズ源となる電線にシングルエンド電圧を入力した際に、ディファレンシャルペアを構成するＵＴＰケーブルにディファレンシャルモード電圧が誘導される量を比率にしてデシベル（ｄＢ）表現したものであるから、負の値となる。本計算例では、ワイヤーハーネスのイミュニティ性能はＡＮＥＸＴＤＳの値が小さいほど優れている。
【００８６】
［結果と考察］
［ＬＣＬ］
１．計算例１，２，及び３の比較
図１０には、位置Ａに電線が配された場合において計算された、計算例１，２，及び３のＬＣＬの結果が示される。後に説明されるが、位置Ａに電線が配された条件でＬＣＬが最も増加するので、各計算例を比較するための代表値として位置Ａに電線が配された場合のＬＣＬが例示されて説明される。
【００８７】
計算例１，２，及び３のＬＣＬは、コモンモードの周波数の増加に従って単調に増加した。ＬＣＬの値は、計算例３が最も大きく、計算例２及び計算例１は、計算例３に比べて小さかった。計算例１は、計算例２に比べてわずかに小さかった。エミッションに関しては、計算例２と計算例１とはほぼ同等の性能を有していることが分かった。計算例２に係るシールド部材４３は下開口部４８を有しているので、開口部を持たない計算例１に係るシールド部材６０に比べて軽量化することができる。
【００８８】
計算例３にはシールド部材４３が配されていない。このため、並列部を構成する２本の電線及び端子の右方にノイズ源としての電線が配されると、並列部を構成する２本の電線及び端子の電磁気的な環境が、左右方向について不均一になる。これにより、ディファレンシャルモード電圧が大きくなり、ＬＣＬが増加すると考えられる。
【００８９】
これに対し、計算例１、及び２には、並列部を構成する２本の電線及び端子の左右方向の外方には、それぞれ、側壁部４４が配されている。これにより、２つの側壁部４４の間に位置する並列部の近傍の電磁気的な環境が、シールド部材４３が配されない場合に比べて均質化される。この結果、並列部を構成する２本の電線及び端子の右方にノイズ源としての電線が配された場合でも、ディファレンシャルモード電圧が大きくならず、ＬＣＬが減少したと考えられる。
【００９０】
コモンモードの周波数が１００ＭＨｚにおけるＬＣＬの値は、計算例１が−７３．０ｄＢであり、計算例２が−７０．３ｄＢであり、計算例３が−５１．３ｄＢであった。エミッション性能について、計算例２は計算例３に比べて１９．０ｄＢ向上しており、計算例１は計算例３に比べて２１．７ｄＢ向上した。
【００９１】
２．計算例３について
図１１に示されるように、計算例３のＬＣＬは、位置Ａ，Ｂ，Ｃ，Ｄ，及びＥについて、コモンモードの周波数の増加に従って単調に増加した。位置ＡのＬＣＬが最も大きく、位置Ｂ及びＤのＬＣＬが次に大きく、位置Ｃ及びＥのＬＣＬが最も小さかった。位置ＡのＬＣＬが最も大きい理由は、上記したように、並列部を構成する２本の電線及び端子の電磁気的な環境が左右方向について不均一になったためと考えられる。
【００９２】
３．計算例２について
図１２に示されるように、計算例２の位置Ａに関するＬＣＬは、コモンモードの周波数の増加に従って単調に増加した。位置Ｂ，Ｃ，Ｄ，及びＥに関するＬＣＬは、コモンモードの周波数が８００ＭＨｚから１０００ＭＨｚにおいてやや減少する傾向となった。各位置のＬＣＬについては、位置ＡのＬＣＬが最も大きく、位置Ｂ及びＤのＬＣＬが次に大きく、位置Ｃ及びＥのＬＣＬが最も小さかった。各位置に関するＬＣＬの大小関係については、上記した計算例３と同様なので、説明が省略される。
【００９３】
４．計算例１について
図１３に示されるように、計算例１の位置Ａに関するＬＣＬは、コモンモードの周波数の増加に従って単調に増加した。位置Ｂ，Ｃ，Ｄ，及びＥに関するＬＣＬは、コモンモードの周波数が７００ＭＨｚから１０００ＭＨｚにおいてやや減少する傾向となった。各位置のＬＣＬについては、位置ＡのＬＣＬが最も大きく、位置ＢのＬＣＬが二番目に大きく、位置Ｃ及びＤのＬＣＬが三番目に大きく、位置ＥのＬＣＬが最も小さかった。
【００９４】
［ＡＮＥＸＴＤＳ］
１．計算例１，２，及び３の比較
図１４には、位置Ａに電線が配された場合において計算された、計算例１，２，及び３のＡＮＥＸＴＤＳの結果が示される。後に説明されるが、位置Ａに電線が配された条件でＡＮＥＸＴＤＳが最も増加するので、各計算例を比較するための代表値として位置Ａに電線が配された場合のＡＮＥＸＴＤＳが例示されて説明される。
【００９５】
計算例１，２，及び３のＡＮＥＸＴＤＳは、ノイズ源の周波数の増加に従って概ね増加する傾向を示し、ノイズ源の周波数が６００ＭＨｚから１０００ＭＨＺでやや減少する傾向を示した。ＡＮＥＸＴＤＳの値は、計算例３が最も大きく、計算例２及び計算例１は、計算例３に比べて小さかった。計算例１は、計算例２に比べてわずかに小さかった。イミュニティに関しては、計算例２と計算例１とはほぼ同等の性能を有していることが分かった。上記したように、計算例２に係るシールド部材４３は下開口部４８を有しているので、開口部を持たない計算例１に係るシールド部材６０に比べて軽量化することができる。
【００９６】
計算例１，２，及び３のＡＮＥＸＴＤＳの大小関係については、上記したＬＣＬと同様に考えることができるので、重複する説明が省略される。
【００９７】
ノイズ源の周波数が１００ＭＨｚにおけるＡＮＥＸＴＤＳの値は、計算例１が−５６．１ｄＢであり、計算例２が−５１．８ｄＢであり、計算例３が−４０．７ｄＢであった。エミッション性能について、計算例２は計算例３に比べて１１．１ｄＢ向上しており、計算例１は計算例３に比べて１５．４ｄＢ向上した。
【００９８】
２．計算例３について
図１５に示されるように、計算例３のＡＮＥＸＴＤＳは、位置Ａ，Ｂ，Ｃ，Ｄ，及びＥについて、ノイズ源の周波数の増加に従って単調に増加した。位置ＡのＬＣＬが最も大きく、位置Ｂ及びＤのＬＣＬが次に大きく、位置Ｃ及びＥのＬＣＬが最も小さかった。位置Ａ，Ｂ，Ｃ，Ｄ，及びＥに係るＡＮＥＸＴＤＳの大小関係については、上記したＬＣＬと同様に考えることができるので、重複する説明が省略される。
【００９９】
３．計算例２について
図１６に示されるように、計算例２の位置Ａに関するＡＮＥＸＴＤＳは、ノイズ源の周波数の増加に従って増加する傾向を示し、ノイズ源の周波数が６００ＭＨｚから１０００ＭＨｚにおいてやや減少する傾向を示した。
【０１００】
４．計算例１について
図１７に示されるように、計算例１の位置Ａに関するＡＮＥＸＴＤＳは、ノイズ源の周波数の増加に従って増加する傾向を示し、ノイズ源の周波数が７００ＭＨｚから１０００ＭＨＺにおいて減少する傾向を示した。  
【０１０１】
＜実施形態２＞
次に、本開示の実施形態２が、図１８を参照しつつ説明される。本実施形態においては、雌コネクタ７０は、雄コネクタ７１のフード部７２内に収容されている。これにより、第２ＵＴＰケーブル１４の第２シース３０の後端部は、２つの側壁部４４の間に位置するようになっている。
【０１０２】
［第１接続部７３］
第１ＵＴＰケーブル１１の第１シース１６の端部寄りの位置には、第１接続部７３（接続部の一例）が取り付けられている。第１接続部７３は、導電性を有する金属板材を所定の形状にプレス加工してなる。第１接続部７３は、環状をなすと共に、第１シース１６の端部寄りの位置に外嵌する第１外嵌部７４（外嵌部の一例）と、第１外嵌部７４に連なって左右方向に延出された第１延出部７５（延出部の一例）と、を有する。第１延出部７５は左方、及び右方に延びた細長い板状をなしている。第１延出部７５の先端部は、左右方向の内方に折り返されている。
【０１０３】
［第２接続部７６］
第２ＵＴＰケーブル１４の第２シース３０の端部寄りの位置には、第２接続部７６（接続部の一例）が取り付けられている。第２接続部７６は、第２外嵌部７７（外嵌部の一例）と、第２延出部７８（延出部の一例）とを有する。第２接続部７６は第１接続部７３と同形同大なので、重複する説明が省略される。
【０１０４】
［雄コネクタ７１］
雄端子１８が雄インナーハウジング２２内に収容された状態で、雄コネクタ７１には、第１接続部７３の第１延出部７５に対応する位置に、第１挿通窓７９が貫通されている。この第１挿通窓７９内に第１延出部７５が挿通されるようになっている。第１挿通窓７９に挿通された第１延出部７５の先端部は、左右方向について内方から、２つの側壁部４４に接触するようになっている。これにより、２つの側壁部４４が、第１接続部７３によって電気的に接続されるようになっている。
【０１０５】
［雌コネクタ１３］
雌端子３２が雌インナーハウジング３５内に収容された状態で、雌コネクタ７０には、第２接続部７６の第２延出部７８に対応する位置に、第２挿通窓８０が貫通されている。この第２挿通窓８０内に第２延出部７８が挿通されるようになっている。第２挿通窓８０に挿通された第２延出部７８の先端部は、左右方向について内方から、２つの側壁部４４に接触するようになっている。これにより、２つの側壁部４４が、第２接続部７６によって電気的に接続されるようになっている。
【０１０６】
上記以外の構成については、実施形態１と略同様なので、同一部材については同一符号を付し、重複する説明が省略される。
【０１０７】
本実施形態によれば、第１電線１５のうち、第１電線１５を一括して包囲する第１シース１６の端部から露出した部分が第１並列部１７とされており、第１接続部７３は、第１シース１６の端部に外嵌された第１外嵌部７４と、第１外嵌部７４から左右方向に延びると共に２つの側壁部４４に接触する第１延出部７５と、を有する。
【０１０８】
また、第２電線２９のうち、第２電線２９を一括して包囲する第２シース３０の端部から露出した部分が第２並列部３１とされており、第２接続部７６は、第２シース３０の端部に外嵌された第２外嵌部７７と、第２外嵌部７７から左右方向に延びると共に２つの側壁部４４に接触する第２延出部７８と、を有する。
【０１０９】
上記の構成によれば、第１シース１６の端部に第１外嵌部７４を外嵌することにより、第１シース１６内に位置する２本の第１電線１５の撚りが戻ってしまうことを抑制することができる。同様に、第２シース３０の端部に第２外嵌部７７を外嵌することにより、第２シース３０内に位置する２本の第２電線２９の撚りが戻ってしまうことを抑制することができる。
【０１１０】
また、２本の第１電線１５の撚り戻しを抑制する部材を、２つの側壁部４４を電気的に接続するために用いることができるので、部品点数を削減することができる。同様に、２本の第２電線２９の撚り戻しを抑制する部材を、２つの側壁部４４を電気的に接続するために用いることができるので、部品点数を削減することができる。これにより、ワイヤーハーネス１０、及びシールド構造５０，５２の製造コストを低減することができる。
【０１１１】
＜実施形態３＞
次に、本開示の実施形態３が、図１９を参照しつつ説明される。本実施形態においては、シールド部材９０の２つの側壁９１は、それぞれ、前後方向に延びると共に間隔を空けて並ぶ２つのスリット９２を有する。スリット９２は、上下方向について側壁９１の中央付近に形成されている。２つのスリット９２の前後方向についての長さ寸法は同じである。
【０１１２】
上記以外の構成については、実施形態１と略同様なので、同一部材については同一符号を付し、重複する説明が省略される。
【０１１３】
上記の構成によれば、シールド部材９０を軽量化することができる。また、雄コネクタ１２に、スリット９２内に嵌入する部材を設けることにより、シールド部材９０を雄コネクタ１２に対して確実に固定することができる。
【０１１４】
＜他の実施形態＞
本開示は上記記述及び図面によって説明した実施形態に限定されるものではなく、例えば次のような実施形態も本明細書に開示された技術の技術的範囲に含まれる。
【０１１５】
（１）シールド部材は、上方のみが開口していてもよく、また、下方のみが開口していてもよい。
【０１１６】
（２）２つの側壁部４４は、仮想的な面５１に対して鏡面対称でなくてもよい。
【０１１７】
（３）２つの側壁部４４を電気的に接続する接続部は、２つの側壁部４４の前端部においては２つの側壁部４４の上縁部同士を接続し、後端部においは下縁部同士を接続する構成としてもよいし、２つの側壁部４４の前端部及び後端部において上下方向の中央付近で２つの側壁部４４同士を接続する構成としてもよい。２つの側壁部４４は、上下方向について任意の位置で接続される構成とすることができる。
【０１１８】
（４）シールド部材４３は雄コネクタ１２に外嵌される構成としたが、これに限られず、雄コネクタ１２の雄キャビティ２７の内部に内嵌される構成としてもよい。
【０１１９】
（５）端子を有しないツイストペアケーブルの並列部にシールド部材を適用してもよい。
【０１２０】
（６）雄コネクタ１２と異なる部材に、シールド部材４３が取り付けられる構成としてもよい。
【０１２１】
（７）シールド部材４３は、溶接、切削、鋳造等、任意の手法により形成されてもよい。
【符号の説明】
【０１２２】
１０：  ワイヤーハーネス
１１：  第１ＵＴＰケーブル
１２：  雄コネクタ
１３：  雌コネクタ
１４：  第２ＵＴＰケーブル
１５：  第１電線
１６：  第１シース
１７：  第１並列部
１８：  雄端子
１９：  電線接続部
２０：  雄タブ
２１：  雄アウターハウジング
２２：  雄インナーハウジング
２３：  フード部
２４：  雄ランス
２９：  第２電線
３０：  第２シース
３１：  第２並列部
３２：  雌端子
３３：  接続筒部
３４：  雌アウターハウジング
３５：  雌インナーハウジング
３６：  雌ランス
４１：  ロックアーム
４２：  ロック部
４３：  シールド部材
４４：  側壁部
４５：  前接続部
４６：  後接続部
４７：  上開口部
４８：  下開口部
４９：  嵌合溝
５０，５２：  シールド構造
５１：  仮想的な面
５２：  シールド構造
５３：  電線接続部
６０：  シールド部材
６１：  接続部
６２：  電線
７０：  雌コネクタ
７１：  雄コネクタ
７２：  フード部
７３：  第１接続部
７４：  第１外嵌部
７５：  第１延出部
７６：  第２接続部
７７：  第２外嵌部
７８：  第２延出部
７９：  第１挿通窓
８０：  第２挿通窓
９０：  シールド部材
９１：  側壁
９２：  スリット
【図１】
2020145083.tif 000003
【図２】
2020145083.tif 000004
【図３】
2020145083.tif 000005
【図４】
2020145083.tif 000006
【図５】
2020145083.tif 000007
【図６】
2020145083.tif 000008
【図７Ａ】
2020145083.tif 000009
【図７Ｂ】
2020145083.tif 000010
【図８】
2020145083.tif 000011
【図９】
2020145083.tif 000012
【図１０】
2020145083.tif 000013
【図１１】
2020145083.tif 000014
【図１２】
2020145083.tif 000015
【図１３】
2020145083.tif 000016
【図１４】
2020145083.tif 000017
【図１５】
2020145083.tif 000018
【図１６】
2020145083.tif 000019
【図１７】
2020145083.tif 000020
【図１８】
2020145083.tif 000021
【図１９】
2020145083.tif 000022